(57)【要約】      （修正有）【課題】ポケットの少ない女性用のユニホームにおける携帯端末の保持に相応しい実用性のある携帯端末用のポケットを提供する。【解決手段】脇身頃４の下方部位に脇身頃の巾に亘ってポケット５を形成する。脇身頃の表面に下向きに形成したタックをポケットのフラップ６とする。ポケットの両側端部及びタックの両側端部を、脇身頃と前身頃２及び後身頃３とで挟み込み切り替え線７を形成する。【選択図】図１
0003211918.tif 000002
【実用新案登録請求の範囲】
【請求項１】
脇身頃の下方部位に脇身頃の巾に亘って形成されたポケットであって、前記脇身頃の表面に下向きに形成したタックを前記ポケットのフラップとしたこと、前記ポケットの両側端部及び前記タックの両側端部が、前記脇身頃と前身頃及び後身頃とに挟み込まれて切り替え線を形成したことを特徴とする衣服の携帯端末用ポケット。
【請求項２】
ポケットが脇身頃の表面に前記脇身頃と同一のポケット布を被設して形成されており、前記ポケット布の上面はタックで形成したフラップに隠れる範囲に位置していることを特徴とする請求項１に記載の衣服の携帯端末用ポケット。
【請求項３】
携帯端末用ポケットの下方に、脇身頃の巾に亘って形成された脇ポケットが形成されており、前記携帯端末用ポケットが前記脇ポケットと一部重なっていることを特徴とする請求項２に記載の衣服の携帯端末用ポケット。
【請求項４】
ポケットが脇身頃の裏面に被設したポケット布で形成されており、前記ポケットへの開口切り込みがタックで形成したフラップに隠れる位置に形成されていることを特徴とする請求項１に記載の衣服の携帯端末用ポケット。
【請求項５】
携帯端末用ポケットの下方位置の表面に、脇身頃の巾に亘って形成された脇ポケットが形成されており、前記携帯端末用ポケットが前記脇ポケットと一部重なっていることを特徴とする請求項４に記載の衣服の携帯端末用ポケット。
【請求項６】
脇身頃を前と後に有する衣服において、何れかの脇身頃の下方部位に何れかの脇身頃の巾に亘って形成されたポケットであって、前記何れかの脇身頃の表面に下向きに形成したタックを前記ポケットのフラップとしたこと、前記ポケットの両側端部及び前記タックの両側端部が、何れかの脇身頃と他方の脇身頃及び前身頃又は後身頃とに挟み込まれて切り替え線を形成したことを特徴とする請求項２乃至５のいずれかに記載の衣服の携帯端末用ポケット。
【考案の詳細な説明】
【技術分野】
【０００１】
本考案は、例えば、ジャケット、作業着、ベストなどの上着において、スマートホーン等の携帯機器を落とさないように収容することのできる携帯機器用のポケットに関するものである。
【背景技術】
【０００２】
スマートホーンなどの携帯機器は、被服のポケットなどに収容して携帯することが多く、何かの拍子に滑り抜けて落下すると、内部の部品が破損し、また接読不良になって使用ができなくなる場合がある。
そこで、例えば、特開２００４−２１１２２５号公報では、携帯機器を上着のポケットに収容して携帯する場合、携帯機器が上着のポケットから落ちないように、前身頃布の裏側に裏ポケット部を形成し、この裏ポケット部に携帯機器を収容することが開示されている。
【０００３】
また、同様に前身頃布の裏側に裏ポケット部を形成する特開２００２−２４９９０３号公報では、身返しが肩および袖ぐりまで拡がっており、上着を着用した際に肋骨の最も突出した部分の下方のくぼみに対応する位置で下前側の身返しにパッチポケットが設けられ、前記下前側身返しはネックポイントと前記ポケットの幅方向の中央を結ぶ線およびその延長線上で切替えられている構成が開示されている。
【０００４】
そして、特開２００９−１９２３号公報では、前身頃布の表側に、上方を開放部として表ポケット布を逢着することによって表ポケット部を形成し、この表ポケット部を形成する前記前身頃布の部分に開口部を設けるとともに、この開口部の、幅方向の両端部の少なくとも一方を高さ方向へ覆うように、伸縮性を有する縦帯布を前記前身頃布に逢着することによって携帯機器を出し入れする出し入れ開口部を形成し、前記前身頃布の裏側に、前記出し入れ開口部を囲うように裏ポケット袋布を逢着することによって裏ポケット部を形成した構成が開示されている。
【先行技術文献】
【特許文献】
【０００５】
【特許文献１】特開２００４−２１１２２５号公報
【特許文献２】特開２００２−２４９９０３号公報
【特許文献３】特開２００９−１９２３号公報
【考案の概要】
【考案が解決しようとする課題】
【０００６】
従来の携帯端末を収容するポケットは、その存在が一見して視認できる構成で取り付けられており、見た目のスマートに欠けるものである。
また、着用時の姿態の動きよってポケットから滑落する場合もあり、その対処が要望されている。
【０００７】
特にポケットの少ない女性用のユニホームにおける携帯端末の保持に相応しい構成が望まれている。
本考案はこれらの問題点に着目して、新規で実用性のある携帯端末用のポケットを提供せんとするものである。
【課題を解決するための手段】
【０００８】
本考案の請求項１の衣服の携帯端末用ポケットは、脇身頃の下方部位に脇身頃の巾に亘って形成されたポケットであって、前記脇身頃の表面に下向きに形成したタックを前記ポケットのフラップとしたこと、前記ポケットの両側端部及び前記タックの両側端部が、前記脇身頃と前身頃及び後身頃とに挟み込まれて切り替え線を形成したことを特徴とするものである。
【０００９】
請求項２の衣服の携帯端末用ポケットの考案は、請求項１に記載の考案において、ポケットが脇身頃の表面に前記脇身頃と同一のポケット布を被設して形成されており、前記ポケット布の上面はタックで形成したフラップに隠れる範囲に位置していることを特徴とするものである。
【００１０】
請求項３の衣服の携帯端末用ポケットの考案は、請求項２に記載の考案において、携帯端末用ポケットの下方に、脇身頃の巾に亘って形成された脇ポケットが形成されており、前記携帯端末用ポケットが前記脇ポケットと一部重なっていることを特徴とするものである。
【００１１】
請求項４の衣服の携帯端末用ポケットの考案は、請求項１に記載の考案において、ポケットが脇身頃の裏面に被設したポケット布で形成されており、前記ポケットへの開口切り込みがタックで形成したフラップに隠れる位置に形成されていることを特徴とするものである。
【００１２】
請求項５の衣服の携帯端末用ポケットの考案は、請求項４に記載の考案において、携帯端末用ポケットの下方位置の表面に、脇身頃の巾に亘って形成された脇ポケットが形成されており、前記携帯端末用ポケットが前記脇ポケットと一部重なっていることを特徴とするものである。
【００１３】
請求項６の衣服の携帯端末用ポケットの考案は、請求項２乃至５のいずれかに記載の考案において、脇身頃を前と後に有する衣服において、何れかの脇身頃の下方部位に何れかの脇身頃の巾に亘って形成されたポケットであって、前記何れかの脇身頃の表面に下向きに形成したタックを前記ポケットのフラップとしたこと、前記ポケットの両側端部及び前記タックの両側端部が、何れかの脇身頃と他方の脇身頃及び前身頃又は後身頃とに挟み込まれて切り替え線を形成したことを特徴とするものである。
【考案の効果】
【００１４】
本考案の携帯端末用ポケットは、フラップを有するためポケットに入れた携帯端末のポケットからの滑落を防止できる効果がある。
また、当該フラップは脇身頃の表面に下向きに形成したタックで形成されているため、脇身頃との色彩模様が同一で一体性が強く違和感が無く、存在が目立たせない効果を有する。
【００１５】
さらに、ポケットの両側端部及び前記タックの両側端部が、前記脇身頃と前身頃及び後身頃とに挟み込まれて切り替え線を形成しているため、ポケットやフラップのための独自の縫い目が現れず、各存在自体が目立たない効果を発揮するものである。
そして、フラップの両端（タックの両側端部）が逢着されているためフラップの起倒が阻止されて、携帯端末の携帯端末用ポケットからの滑落を確実に防止できる効果も奏するものである。
【００１６】
携帯端末用ポケットの下方位置の表面に、脇身頃の巾に亘って形成された脇ポケットが形成されており、前記携帯端末用ポケットが前記脇ポケットと一部重なっているものとすれば、脇ポケットが目立ち、携帯端末用ポケットの存在が一層目立たなくなる効果が発揮される。
また、前記携帯端末用ポケットの底部の縫い目が脇身頃に現れていても脇ポケットで隠すことができる効果も有する。
【図面の簡単な説明】
【００１７】
【図１】本考案の一実施の形態を示すベストの正面図である。
【図２】図１の要部縦断面図である。
【図３】図１の要部横断面図である。
【図４】図１の要部横断面図である。
【図５】本考案の他の実施の形態を示す要部の断面図である。
【図６】本考案の他の実施の形態を示す要部の断面図である。
【図７】本考案の他の実施の形態を示す要部の断面図である。
【考案を実施するための形態】
【００１８】
本考案の実施の形態を図面に基づいて説明する。
図１は本考案の一実施の形態を示すベストの正面図、図２乃至図４は同要部の断面図であり、ベスト１の前身頃２と後身頃３に介在する脇身頃４に、フラップ６を有する携帯端末用ポケット５が形成されている。
【００１９】
携帯端末用ポケット５は脇身頃４の下方部位に脇身頃４の巾に亘って形成されおり、前記脇身頃４の表面に下向きに、タック用縫い目６１でタックを形成し、前記携帯端末用ポケット５のフラップ６と成している。
したがって、フラップ６を有するため入れた携帯端末の携帯端末用ポケット５からの滑落を防止できる作用を奏する。
【００２０】
また、前記携帯端末用ポケット５は、前記脇身頃４の表面に前記脇身頃４と同一の携帯端末用ポケット布５１を被設して形成されており、前記携帯端末用ポケット布５１の上面５２を、前記タックで形成したフラップ６に隠れる範囲に位置せしめ、前記携帯端末用ポケット５の出入口をフラップ６で被覆している。
【００２１】
したがって、脇身頃４の表面に下向きに形成したタックで形成された当該フラップ６は、脇身頃４との色彩模様が同一で一体性が強く違和感が無く、その存在を目立たせない作用を有する。
【００２２】
そして、前記携帯端末用ポケット５の両側端部５３及び前記フラップ６（タック）の両側端部６２が前記脇身頃４の両側端部と重合し、前身頃２及び後身頃３とに挟み込まれた状態で切り替え線７を形成する構成となって、夫々の生地の部位が縫着７１されて一体に結合されている。
【００２３】
したがって、携帯端末用ポケット５の両側端部５３及び前記フラップ６の両側端部６２が、前記脇身頃４と前身頃２及び後身頃３とに挟み込まれて切り替え線７を形成しているため、携帯端末用ポケット５やフラップ６の両側端部のための独自の縫い目がなく、本来の脇身頃４と前身頃２及び後身頃３との縫着７１の切り替え線７のみ現れ、携帯端末用ポケット５やフラップ６の各存在自体を目立たないようにする作用を奏するものである。
【００２４】
さらに、フラップ６の両端６２（タックの両側端部）が逢着されているためフラップ６の起倒が阻止されて、携帯端末の携帯端末用ポケット５からの滑落を確実に防止できる作用を奏するものである。
【００２５】
図５は本考案の他の実施の形態を示す要部の断面図であり、携帯端末用ポケット５を脇身頃４の裏面に形成したものである。
携帯端末用ポケット５が脇身頃４の裏面に被設した携帯端末用ポケット布５１で形成されており、前記携帯端末用ポケット５への出し入れ口となる開口切り込み８がタックで形成したフラップ６に隠れる位置に形成されている。
【００２６】
図６は本考案の他の実施の形態を示す要部の断面図であり、携帯端末用ポケット５の下方に、脇身頃４の巾に亘って形成された脇ポケット９が形成されており、前記携帯端末用ポケット５が前記脇ポケット９と一部重なっている状態で形成されている。
また、脇ポケット布９１の両端部も、前身頃２及び後身頃３に挟み込まれて切り替え線７を形成する構成となっている。
【００２７】
携帯端末用ポケット５が脇ポケット９と一部重なって前面に位置するため、脇ポケット９が目立ち、携帯端末用ポケット５の存在が一層目立たなくなる作用を奏する。
また、携帯端末用ポケット５の底部の縫い目が脇身頃４の表面に現れても、脇ポケット９で隠すことができる作用も有する。
【００２８】
図７は他の実施の形態を示す要部の断面図であり、脇身頃４を上下２枚の脇身頃４１，４２と携帯端末用ポケット布（向布）５１とで構成して携帯端末用ポケット５を設けたものである。
【００２９】
すなわち、上脇身頃４１の下部でタックを形成してフラップ６と成し、当該上脇身頃４１の下端部４１Ａと携帯端末用ポケット布５１の上端部との逢着を、タック用逢着６１と兼ねた共通の逢着として連結したものである。
一方、下脇身頃４２の上端部４２Ａは、前記タック用逢着６１より下方のフラップ６に隠れる位置決めとし、前記下脇身頃４２と前記ポケット布５１の両側端部及び前記フラップ６の両側端部が、前記上下脇身頃４１，４２と共に、前身頃２及び後身頃３とに挟み込まれて切り替え線７を形成して連結されている。
【００３０】
そして、前記下脇身頃４２と前記ポケット布５１の下部を逢着して底部にすることで、前記下脇身頃４２と前記ポケット布５１の間に携帯端末用ポケット５が形成され、前記逢着６１と下方のフラップ６に隠れた下脇身頃４２の上端部４２Ａとの間に出し入れ口が形成されるものとなる。
【００３１】
以上のように、本考案を図面に基づいて説明し各実施の形態における具体的構成は一例で、また、構成を明瞭にするために裏布や実用上必要と思われる端部処理等、或いは意匠的装飾は省略して図示してあり、同様の作用効果を得られる他の構成又は手段を排除するものではない。
【符号の説明】
【００３２】
１      ベスト
２      前身頃
３      後身頃
４      脇身頃
４１    上脇身頃
４１Ａ  上脇身頃の下端部
４２    下脇身頃
４２Ａ  下脇身頃の上端部
５      携帯端末用ポケット
５１    携帯端末用ポケット布
５２    携帯端末用ポケット布の上面
５３    携帯端末用ポケットの両側端部
６      フラップ
６１    タック用縫い目
６２    フラップの両側端部
７      切り替え線
７１    縫着
８      開口切り込み
９      脇ポケット
９１    脇ポケット布
【図１】
0003211918.tif 000003
【図２】
0003211918.tif 000004
【図３】
0003211918.tif 000005
【図４】
0003211918.tif 000006
【図５】
0003211918.tif 000007
【図６】
0003211918.tif 000008
【図７】
0003211918.tif 000009